(57)【特許請求の範囲】
【請求項１】
時系列データの再生位置をジャンプするように指示する指示手段と、
前記指示手段から再生位置を先にジャンプする指示があると、現在の再生位置から終端部までの残り時間が、第１の期間と第２の期間の合計期間よりも長い場合は、現在の再生位置を前記第１の期間先の位置にジャンプさせ、前記残り時間が前記合計期間以下であって前記第２の期間よりも長い場合は、現在の再生位置を前記終端部から前記第２の期間前の位置にジャンプさせるように制御する制御手段と、を有することを特徴とする再生制御装置。
【請求項２】
前記第１の期間は、前記第２の期間よりも長いことを特徴とする請求項１に記載の再生制御装置。
【請求項３】
前記制御手段は、前記残り時間が前記第２の期間よりも短い場合は、現在の再生位置をジャンプさせないように制御することを特徴とする請求項１または２に記載の再生制御装置。
【請求項４】
前記制御手段は、現在の再生位置をジャンプさせた後に、前記第２の期間と同じ長さの時間を再生すると自動的に再生を停止することを特徴とする請求項１ないし３のいずれか１項に記載の再生制御装置。
【請求項５】
前記制御手段は、前記指示手段によるジャンプの指示を前記時系列データの再生中に受け付けることを特徴とする請求項１ないし４のいずれか１項に記載の再生制御装置。
【請求項６】
前記指示手段から再生位置を前にジャンプする指示があると、現在の再生位置から始端部までの残り時間が前記第１の期間よりも長い場合は、現在の再生位置を前記第１の期間前の位置にジャンプさせ、前記残り時間が前記第１の期間以下の場合は、現在の再生位置を始端部までジャンプさせるように制御することを特徴とする請求項１ないし５のいずれか１項に記載の再生制御装置。
【請求項７】
再生される範囲が選択された１つの時系列データに限定される第１のモード、または、再生される範囲が複数の時系列データにわたる第２のモードへの切り替えが可能であり、
前記制御手段は、前記第１のモードでは、前記再生位置をジャンプさせる前記制御を行い、前記第２のモードでは、前記残り時間が前記合計期間以下であっても前記第１の期間よりも長い場合は、現在の再生位置を前記第１の期間先の位置にジャンプさせるように制御することを特徴とする請求項１ないし５のいずれか１項に記載の再生制御装置。
【請求項８】
再生される範囲が選択された１つの時系列データに限定される第１のモード、または、再生される範囲が複数の時系列データにわたる第２のモードへの切り替えが可能であり、
前記制御手段は、前記第１のモードでは、前記再生位置をジャンプさせる前記制御を行い、前記第２のモードでは、前記残り時間が前記合計期間以下の場合は、現在の再生位置を再生中の時系列データの終端部、または、再生中の時系列データの次の時系列データの先頭にジャンプさせるように制御することを特徴とする請求項１ないし５のいずれか１項に記載の再生制御装置。
【請求項９】
前記第１のモードは、時系列データの記録モード中における再生指示に応じた動作モードであり、
前記第２のモードは、記録された時系列データを再生する動作モードであることを特徴とする請求項７または８に記載の再生制御装置。
【請求項１０】
前記時系列データは動画と音声の少なくともいずれかを含むことを特徴とする請求項１ないし９のいずれか１項に記載の再生制御装置。
【請求項１１】
時系列データの再生位置をジャンプするように指示する指示ステップと、
前記指示ステップにて再生位置を先にジャンプする指示があると、現在の再生位置から終端部までの残り時間が、第１の期間と第２の期間の合計期間よりも長い場合は、現在の再生位置を前記第１の期間先の位置にジャンプさせ、前記残り時間が前記合計期間以下であって前記第２の期間よりも長い場合は、現在の再生位置を前記終端部から前記第２の期間前の位置にジャンプさせるように制御する制御ステップと、を有することを特徴とする再生制御装置の再生制御方法。
【請求項１２】
コンピュータを、請求項１ないし１０のいずれか１項に記載された再生制御装置の各手段として機能させるためのプログラム。
【請求項１３】
コンピュータを、請求項１ないし１０のいずれか１項に記載された再生制御装置の各手段として機能させるためのプログラムを格納したコンピュータが読み取り可能な記憶媒体。
【発明の詳細な説明】
【技術分野】
【０００１】
本発明は、動画や音声などの時系列データの再生制御技術に関するものである。
【背景技術】
【０００２】
従来、動画や音声などの時系列データにおいて、ユーザが所望する場面を探して再生させることができるように、早送り／早戻しや、ジャンプ再生などの、場面探索に便利な再生方法が利用されている。特許文献１には、動画中の１枚の画像を指定倍速に応じたジャンプ時間でジャンプさせながら再生する早送りまたは早戻し再生を行う技術が記載されている。
【０００３】
また、ユーザの利便性を考慮して、機器の利用状況に応じて異なる動画または音声を再生させる技術が提案されている。特許文献２には、一連の音声記録動作を終了した後に再生動作を開始する場合、最新の一連の記録により記録された部分の先頭から再生を開始させることにより、記録したオーディオ信号の記録状態を確認したい場合の操作性を向上させる技術が記載されている。
【先行技術文献】
【特許文献】
【０００４】
【特許文献１】特開２０１１−２５９１１０号公報
【特許文献２】特開平０５−３２５５０８号公報
【発明の概要】
【発明が解決しようとする課題】
【０００５】
１つの動画単位や音声単位の終端付近を確認したいというユースケースがある。例えば、特許文献２のように、記録した音声の記録状態を確認したい場合、最後に記録した音声の最後の部分を確認できれば、ユーザは所望の音声が最後まで記録できているか否か、あるいは録り直しが必要か否かを判定することができる。また、最後に記録した音声の最後の部分を確認できれば、続きの音声記録においてどのような音声を記録すべきかを判定する材料とすることができる。これは、動画の撮影においても同様である。
【０００６】
しかしながら、特許文献１のようなジャンプ再生を行うと、１つの動画単位の終端付近がジャンプされてしまう可能性があり、１つの動画単位の終端付近を素早く確実に確認することができない場合がある。
【０００７】
本発明は、上記課題に鑑みてなされ、ジャンプ再生される時系列データの終端付近を素早く確実に再生することができる再生制御技術を実現することを目的とする。
【課題を解決するための手段】
【０００８】
上記課題を解決するために、本発明の再生制御装置は、時系列データの再生位置をジャンプするように指示する指示手段と、前記指示手段から再生位置を先にジャンプする指示があると、現在の再生位置から終端部までの残り時間が、第１の期間と第２の期間の合計期間よりも長い場合は、現在の再生位置を前記第１の期間先の位置にジャンプさせ、前記残り時間が前記合計期間以下であって前記第２の期間よりも長い場合は、現在の再生位置を前記終端部から前記第２の期間前の位置にジャンプさせるように制御する制御手段と、を有する。
【発明の効果】
【０００９】
本発明によれば、ジャンプ再生される時系列データの終端付近を素早く確実に再生させることができるようになる。
【図面の簡単な説明】
【００１０】
【図１】本実施形態のシステム構成を例示する図。
【図２】本実施形態の再生処理シーケンスを示すフローチャート。
【図３】レックレビューによる再生対象クリップを説明する図。
【図４】レックレビュー設定のためのメニュー画面を例示する図。
【図５】レックレビューによるクリップ再生処理を説明する図。
【発明を実施するための形態】
【００１１】
以下に、本発明の再生制御装置を、デジタル映像を撮影するデジタルビデオカメラに適用した実施の形態について、添付図面を参照して詳細に説明する。
【００１２】
＜装置構成＞まず、図１を参照して、本実施形態のデジタルビデオカメラ（以下、ビデオカメラ）の構成および機能について説明する。
【００１３】
図１において、撮像部１はレンズ、ＣＭＯＳイメージセンサなどの撮像素子、オートフォーカス機構、ズーム機構などを含む。撮像部１は、カメラ制御部３の指示に従い、被写体に対して焦点や光量などを調整し、レンズを通して結像された被写界の光学像を映像信号に変換し、カメラ信号処理部２に送出する。
【００１４】
カメラ制御部３は、マイクロコンピュータなどを備え、システム制御部４および操作部１０の指示などに応じてカメラ系を制御する。
【００１５】
信号処理部５は、集積回路やマイクロコンピュータなどを備え、システム制御部４の指示に従い、動画や音声などの時系列データを含む様々な信号の記録・再生処理を行う。信号処理部５は、記録信号処理部６と再生信号処理部７を有する。記録信号処理部６は、カメラ信号処理部２から出力された映像信号やマイク１１から出力された音声信号に所定の信号処理を施し、再生信号処理部７は、記録信号処理部６で生成された信号に所定の処理を施す。また、信号処理部５は、システム制御部４の指示に従って、所定の処理を施した映像（音声付きの動画）の記録媒体９への記録処理や、記録媒体９に記録した映像の再生処理を行う。また、信号処理部５は、システム制御部４から送出される文字情報や印刷範囲枠表示情報を映像信号に重畳し、表示部８に送出する。また、信号処理部５は、システム制御部４の指示に従って、映像に含まれる音声あるいは音声のみをスピーカ１２から出力する再生処理を行う。
【００１６】
表示部８は液晶パネルなどが用いられ、ユーザに対して映像を表示すると共に、文字や記号によるカメラ本体の各種情報の表示、メニュー設定時のガイド表示などを行う。
【００１７】
記録媒体９は、信号処理部５により生成された映像が記録されたり、既に記録されている映像が読み出される。記録媒体９は、ビデオカメラに装着されるメモリカードやハードディスクドライブなど、あるいは、ビデオカメラに内蔵されたフラッシュメモリやハードディスクドライブである。
【００１８】
操作部１０の一部は、後述するカメラモードと再生モードの切り替え、およびビデオカメラ全体に関する各種操作スイッチ類（上ボタン、右ボタン、下ボタン、左ボタン、ＳＥＴボタン、ＭＥＮＵボタン、再生ボタン、早送りボタン／早戻しボタン、ＳＴＯＰボタン、ＳＴＡＲＴ／ＳＴＯＰボタン、ＲＥＣ ＲＥＶＩＥＷボタンなど）を含み、ユーザからの指示をシステム制御部４に送出する。操作部１０の一部は、カメラ系に関する各種スイッチ、ダイヤル類（ＡＦオン／オフ、ＡＥオート／ロック、プログラムＡＥ、ズームなど）を含み、ユーザからの指示をシステム制御部４を介してカメラ制御部３に送出する。
【００１９】
マイク１１およびスピーカ１２はカメラモードや再生モードでの音声信号の入力と出力を行う。
【００２０】
システム制御部４は、ビデオカメラの各種機能を統括して制御するための、ＣＰＵ１０１、ＲＡＭ１０２、ＲＯＭ１０３や、専用の回路などを含む。ＣＰＵ１０１は、不揮発性メモリであるＲＯＭ１０３に格納されたプログラムをワークメモリとしてのＲＡＭ１０２に展開し実行することで、本実施形態のレックレビュー機能を含む各種の制御シーケンスを実行する。
【００２１】
＜レックレビュー＞図３を参照して、本実施形態のレックレビュー機能について説明する。
【００２２】
レックレビュー機能は、ビデオカメラを再生専用の動作モード（再生モード）に設定することなく、映像記録を行うためのカメラモードのまま、簡単な操作で素早く記録映像（クリップ）を再生し確認を行うための機能である。レックレビューは直前に記録したクリップの確認を行うことを目的としており、再生対象となるクリップ全体、またはそのクリップの最後の数秒間だけを再生する。レックレビュー中に時間軸に対して正方向（現在の再生位置より先）または逆方向（現在の再生位置より前）に１０秒単位で再生位置をジャンプする方法を中心に記述する。また、レックレビューは最低でも４秒以上は再生する機能であるものと定義する。なお、これらの時間は本実施形態の説明の便宜上設けたものであり、異なる時間設定でも構わない。
【００２３】
図３に示すクリップ１〜３は本実施形態のビデオカメラで撮影・記録した動画データである。ビデオカメラがカメラモードのときに、ユーザが操作部１０にあるＳＴＡＲＴ／ＳＴＯＰボタンを押下し記録開始と記録停止の指示を行うことでクリップは生成される。図３では記録開始と記録停止の指示を３回行った様子を例示しており、３つのクリップ１〜３が記録されている。クリップ３の記録が完了した後、カメラモード中に操作部１０に含まれるＲＥＣ ＲＥＶＩＥＷボタンを押下すると、直前に記録したクリップ３だけが再生される。レックレビューは、予め設定された内容に応じて、クリップ３の先頭から、あるいはクリップ３の終端部より４秒手前からのいずれかにより再生される。
【００２４】
図４は、レックレビューの再生方法を設定するためのメニュー画面（ビデオカメラの設定メニューのうちの１つ）の表示例を示す。このメニュー画面で「クリップ先頭から」を選択しているときは、レックレビューによる再生範囲はクリップの先頭からとなる。この場合、図５（Ａ）に示す位置５０１から再生されることになる。「最終４秒」が選択されている場合は、クリップの終端部より４秒手前の時点からレックレビュー再生が実行される。この場合、図５（Ａ）に示す位置５０２から再生されることになる。
【００２５】
動作モードをカメラモードから再生モードに切り替えた後に実行する通常の再生処理は、レックレビューとは動作内容が異なる。操作部１０からの指示に応じて、システム制御部４がビデオカメラの動作モードをカメラモードから再生モードに切り替え、操作部１０に含まれる再生ボタンを押下すると、選択されているクリップを先頭にして再生が開始される。複数のクリップが記録されているときは、現在再生しているクリップに続いて次のクリップが連続して再生され、時系列順に次々とクリップが再生される点がレックレビューとは異なる。
【００２６】
＜再生処理＞次に、図２を参照して、レックレビュー再生を実行する場合と通常再生を実行する場合の再生処理について説明する。
【００２７】
なお、図２の処理は、ＣＰＵ１０１がＲＯＭ１０３に記録されたプログラムをＲＡＭ１０２に展開して実行することにより実現される。
【００２８】
Ｓ１０１では、ＣＰＵ１０１は、現在の動作モードがカメラモードであるか、再生モードであるかを判定する。カメラモードの場合はＳ１０２に進み、再生モードの場合はＳ１２３に進む。
【００２９】
Ｓ１０２では、ＣＰＵ１０１は、再生指示があったか否かを判定する。ここでは、カメラモードでの再生指示であるので、ＣＰＵ１０１は、操作部１０に含まれるＲＥＣ ＲＥＶＩＥＷボタンが押下されたか否かの判定を行う。判定の結果、ＲＥＣ ＲＥＶＩＥＷボタンが押下されたと判定した場合はＳ１０３に進み、そうでない場合はＳ１０２でＲＥＣ ＲＥＶＩＥＷボタンが押下されるのを待つ。なお、この判定以外にも、動画の記録指示があったか否か、再生モードに切り替える指示があったか否か、設定メニューを表示する指示があったか否かなどの判定も行い、それに応じた処理も行うが、本実施形態では詳細は省略する。
【００３０】
Ｓ１０３では、ＣＰＵ１０１は、４秒再生が設定されているか否かを判定する。ここでは、図４で前述したレックレビューの再生方法がどのように設定されているかを判定しており、ＲＯＭ１０３に記憶された設定情報を読み出すことにより判定を行う。判定の結果、「最終４秒」に設定されている場合にはＳ１０４に進み、「クリップ先頭から」に設定されている場合はＳ１０５に進む。
【００３１】
Ｓ１０４では、ＣＰＵ１０１は、レックレビューの再生開始位置を最後に撮影したクリップ（最新のクリップ）の終端部より４秒手前（終端位置より第２の期間前）に設定する。
【００３２】
Ｓ１０５では、ＣＰＵ１０１は、レックレビューの再生開始位置を、最新のクリップの始端部（先頭）に設定する。
【００３３】
Ｓ１０６では、ＣＰＵ１０１は、Ｓ１０４またはＳ１０５で設定されたレックレビューの再生開始位置から動画の再生を開始する（レックレビューを行う）。
【００３４】
Ｓ１０７では、ＣＰＵ１０１は、レックレビューの再生位置を正方向にジャンプする操作があった否かを判定する。正方向へのジャンプ指示は、操作部１０に含まれる右ボタンを押下することによって行えるものとする。正方向へのジャンプ指示があった場合（右ボタンが押下された場合）はＳ１０８に進み、そうでない場合はＳ１１３に進む。
【００３５】
Ｓ１０８では、ＣＰＵ１０１は、ジャンプ後の再生位置を決定するために、クリップの終端位置と現在の再生位置の差ａを算出する。
【００３６】
Ｓ１０９では、ＣＰＵ１０１は、Ｓ１０８で算出したクリップの終端位置と現在の再生位置との差ａが、１４秒（１回のジャンプ指示に応じた標準のジャンプ秒数である第１の期間（１０秒）と、レックレビューでの最低再生秒数として設定されている第２の期間（４秒）との和である合計期間）よりも大きいか否かを判定する。判定の結果、１４秒よりも大きいと判定した場合はＳ１１０に進み、１４秒以下と判定した場合はＳ１１１に進む。
【００３７】
Ｓ１１０では、ＣＰＵ１０１は、ジャンプ後の再生開始位置を、現在の再生位置より１０秒先（現在の再生位置より第１の期間先）に設定する。クリップの終端位置と現在の再生位置の差ａが１４秒より大きいと、正方向へ１０秒のジャンプを行ってもレックレビューが最低再生秒数の４秒以上実行されるため、再生開始位置は現在の再生位置に標準のジャンプ秒数である１０秒を加えた位置になる。
【００３８】
続くＳ１１８では、ＣＰＵ１０１は、ジャンプ後の再生開始位置として設定された位置にジャンプして再生を行う。この場合の概念図を図５（Ｂ）の（ｂ−１）に示す。ジャンプ前に再生していた位置が、クリップの終端部より１４秒以上前である位置５２１であった場合、正方向へのジャンプ指示に応じて、位置５２１から１０秒先の位置５２２にジャンプして再生を行う。
【００３９】
Ｓ１１１では、クリップの終端位置と現在の再生位置との差ａが合計期間以下、つまり１４秒以下と判定されたので、ＣＰＵ１０１は、さらにクリップの終端位置と現在の再生位置の差ａが４秒より大きいか否かを判定する。判定の結果、４秒より大きい場合はＳ１１２に進み、４秒以下の場合はジャンプを実行しないでＳ１１８に進み、現在の再生位置からの再生を継続する。
【００４０】
Ｓ１１２では、ジャンプ後の再生開始位置を、クリップの終端部より最低再生秒数である４秒手前（終端位置より第２の期間前）に設定する。
【００４１】
続くＳ１１８では、ＣＰＵ１０１は、ジャンプ後の再生開始位置として設定された位置にジャンプして再生を行う。この場合の概念図を図５（Ｂ）の（ｂ−２）に示す。ジャンプ前に再生していた位置が、クリップの終端部より４秒以上前である位置５２３であった場合、正方向へのジャンプ指示に応じて、位置５２３から、クリップ終端部より４秒手前の位置５２４にジャンプして再生を行う。この場合の位置５２３と位置５２４との時間差（ジャンプ秒数）は１０秒以下であり、ジャンプ前の再生位置５２３に応じて異なる。
【００４２】
Ｓ１１１でクリップの終端位置と現在の再生位置の差ａが４秒以下であると判定し、ジャンプを実行しないでＳ１１８で現在の位置から再生を継続する場合の概念図を図５（Ｂ）の（ｂ−３）に示す。ジャンプ前に再生していた位置が、クリップの終端部より手前４秒以内である位置５２５であった場合、正方向へのジャンプ指示があってもジャンプは行わず、そのまま再生を継続する。
【００４３】
Ｓ１１３では、ＣＰＵ１０１は、レックレビューの再生位置を負方向にジャンプする操作があった否かを判定する。負方向へのジャンプ指示は、操作部１０に含まれる左ボタンの押下することによって行えるものとする。負方向へのジャンプ指示があった場合（左ボタンが押下された場合）はＳ１１４に進み、そうでない場合はＳ１１９に進む。
【００４４】
Ｓ１１４では、ＣＰＵ１０１は、ジャンプ後の再生開始位置を決定するために、現在の再生位置とクリップの先頭位置の差ｂを算出する。単に、現在の再生位置の秒数がクリップ先頭からの位置を示している場合は算出は特にしなくても良い。
【００４５】
Ｓ１１５では、ＣＰＵ１０１は、クリップ先頭から現在の再生位置までの時間が、１０秒（１回のジャンプ指示に応じた標準のジャンプ秒数）よりも長いか否かを判定する。１０秒よりも長いと判定した場合はＳ１１６に進み、１０秒以内であると判定した場合にはＳ１１７に進む。
【００４６】
Ｓ１１６では、ＣＰＵ１０１は、ジャンプ後の再生開始位置を、現在の再生位置より１０秒前（現在の再生位置より第１の期間前）に設定する。
【００４７】
続くＳ１１８で、ＣＰＵ１０１は、ジャンプ後の再生開始位置として設定された位置にジャンプして再生を行う。この場合の概念図を図５（Ｃ）の（ｃ−１）に示す。ジャンプ前に再生していた位置が、クリップ先頭から１０秒以上後である位置５３１であった場合、負方向へのジャンプ指示に応じて、位置５３１から１０秒手前の位置５３２にジャンプして再生を行う。
【００４８】
Ｓ１１７では、ＣＰＵ１０１は、ジャンプ後の再生開始位置を、クリップの先頭位置に設定する。
【００４９】
続くＳ１１８で、ＣＰＵ１０１は、ジャンプ後の再生開始位置として設定された位置にジャンプして再生を行う。この場合の概念図を図５（Ｃ）の（ｃ−２）に示す。ジャンプ前に再生していた位置が、クリップ先頭から１０秒以内である位置５３３であった場合、負方向へのジャンプ指示に応じて、現在の再生位置５３３から、クリップ先頭の位置５３４にジャンプして再生を行う。この場合の位置５３３と位置５３４との時間差（ジャンプ秒数）は１０秒以下であり、ジャンプ前の再生位置５３３の位置に応じて異なる。
【００５０】
Ｓ１１９では、ＣＰＵ１０１は、レックレビューの再生時間が４秒固定に設定されているか否かを判定する。レックレビューの再生時間は設定メニューからユーザ操作に応じて設定可能であり、「４秒固定」と「クリップ終端部まで」のいずれかが設定されてＲＯＭ１０３に記録されているものとする。ＣＰＵ１０１は、ＲＯＭ１０３の設定情報を参照して、４秒固定に設定されているか否かを判定する。「４秒固定」に設定されていた場合はＳ１２０に進み、そうでない場合（すなわち「クリップ終端部まで」に設定されていた場合）はＳ１２１に進む。なお、４秒固定か否かは、ユーザが設定するものではなく、ビデオカメラの仕様として定めておいても良い。ビデオカメラの仕様として４秒固定が予め定められている場合は、Ｓ１１９の判定処理は行わないでＳ１２０に進む。
【００５１】
Ｓ１２０では、ＣＰＵ１０１は、Ｓ１０６のレックレビューの再生と、Ｓ１１８のジャンプ後の再生のうち直近の再生開始から４秒が経過したか否かを判定する。４秒が経過した場合はＳ１２２に進み、そうでない場合はＳ１２１に進む。
【００５２】
Ｓ１２１では、ＣＰＵ１０１は、現在の再生位置がクリップの終端部に達したか否かを判定する。判定の結果、終端部に達した場合は１２２に進み、そうでない場合はＳ１０７に戻る。
【００５３】
Ｓ１２２では、レックレビューの再生を自動的に停止し、撮影待機状態に戻る。すなわち、表示部８に撮像部１で撮像した映像をライブビュー表示し、撮影指示を受付ける状態に復帰する。なお、本例では４秒固定に設定されている場合に４秒が経過するか、クリップ終端部に達するとレックレビューを終了しているが、ＳＴＯＰボタンの押下などのユーザからの停止や撮影の指示による割り込み処理などによりレックレビューを終了することもできる。
【００５４】
なお、Ｓ１０１でカメラモードではないと判定した場合は、ビデオカメラは再生モードにある。その場合の再生は、レックレビューではなく通常再生になる。通常再生では、再生するクリップは、複数のクリップが記録されている場合はこれらすべてのクリップが対象になり得る。Ｓ１２３で再生指示があった（操作部１０に含まれる再生ボタンが押下された）と判定すると、ＣＰＵ１０１は、Ｓ１２４で動画の再生を開始する。再生対象は、再生を開始した時点よりも時系列的に後に位置するすべてのクリップである。
【００５５】
Ｓ１２５では、ＣＰＵ１０１は、再生開始時点よりも時系列的に後に位置するすべてのクリップの再生が完了したか否かを判定する。完了した場合はＳ１２６に進み、動画の再生を停止する。なお、ＳＴＯＰボタンの押下などによるユーザからの停止指示、撮影指示による割り込み処理などによって再生モードでの動画の再生を終了することもできる。また、再生モードでの動画再生途中には、操作部１０に含まれる早送りボタン／早戻しボタンの操作に応じた動画の早送り、早戻しも行えるものとする。また、右ボタンの押下に応じた正方向へのジャンプ、左ボタンの押下に応じた負方向へのジャンプも行えるものとする。ただし、再生モードでの正方向へのジャンプは、レックレビューにおける４秒のような最低再生秒数は設定しない。したがって、例えば、図３のクリップ２の再生中に正方向へのジャンプ指示が行われた場合、現在の再生位置からクリップ２の終端部までが１０秒より長い場合は（合計期間１４秒以内であっても）、現在の再生位置から１０秒先にジャンプして再生する。また、クリップ２の再生中に正方向へのジャンプ指示が行われた場合、現在の再生位置からクリップ２の終端部までの時間が１０秒以内の場合は、クリップ２の終端部（次のクリップであるクリップ３の先頭）にジャンプさせて、クリップ３の先頭から再生行う。
【００５６】
このように、クリップの終端付近での正方向へのジャンプに関する動作を、レックレビューと再生モードで変更しているのは以下の理由による。すなわち、レックレビューを行う目的は、直前に撮影した動画（最新の動画、最後に撮影した動画）の内容を確認することである。この場合、ユーザは、直前に撮影した動画の終端付近を確認し、最後に撮影した動画がどのような場面で終わっているのかを確認することで、次にどのような動画を撮影するべきかの判断材料とするユースケースが考えられる。あるいは、最後に撮影した動画がどのような場面で終わっているのかを確認することで、撮影したかった被写体の動作を最後まで撮影できたかを確認し、撮り直しが必要であるかどうかの判断材料とするユースケースも考えられる。このため、撮影モードの際に利用されるレックレビューでは、ユーザからの正方向へのジャンプ指示がなされても、最低でも数秒（本例では４秒）はクリップの終端部を再生するようにしている。一方、再生モードで動画を再生している際のジャンプ指示は、ユーザは次の撮影をどのように行うべきかの判断材料を求めているというよりは、再生して鑑賞したい場面を探す目的でジャンプを利用すると想定される。従って、クリップの終端部を数秒確認させるようなジャンプは行わず、再生位置がクリップの終端部に近い位置でジャンプ指示が行われたのであれば、次のクリップの先頭にジャンプすることで、素早い場面探索を優先している。
【００５７】
なお、本実施形態では、Ｓ１０２〜Ｓ１２２の処理をビデオカメラでのレックレビューに適用した例を説明したが、本発明はこれに限られない。例えば、ビデオカメラでの再生モードでの再生や、他の動画再生機器における一般的な動画再生中の再生位置のジャンプにも適用可能である。これによって、鑑賞している動画の終端付近を素早く確実に確認することができる。
【００５８】
さらに、本実施形態では、動画の再生における再生位置のジャンプについて説明したが、時系列データである音声の再生における再生位置のジャンプにも同様に適用可能である。なお、音声の再生に適用する場合も、図２で説明した例と同様に、音声の記録モード中に、最後に記録した音声を再生する動作モードであるか、再生モードで音声を再生するモードであるかに応じて処理を場合分けするとより好適である。すなわち、音声の記録モード中に、最後に記録した音声を再生する場合には、音声クリップの最後の数秒（図２の例では４秒）は再生されるように、Ｓ１０２〜Ｓ１２２と同様の処理を音声に関して行う。再生モードで音声を再生する場合には、音声クリップの終端部を数秒確認するようなジャンプは行わず、再生位置がクリップの終端部に近い位置でジャンプ指示が行われたのであれば、次のクリップの先頭にジャンプすることで、素早い探索を優先する。
【００５９】
なお、本実施形態において、ＣＰＵ１０１が行うものとして説明した制御は１つのハードウェアが行ってもよいし、複数のハードウェアが処理を分担することで、装置全体の制御を行ってもよい。
【００６０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６１】
また、上述した実施形態においては、本発明の再生制御装置をデジタルビデオカメラに適用した場合を例にして説明したが、これはこの例に限定されず、動画や音声などの時系列データの再生位置を前後にジャンプさせることが可能な装置であれば適用可能である。すなわち、本発明はパーソナルコンピュータやＰＤＡ、携帯電話端末や携帯型の画像ビューワ、デジタルカメラ、動画レコーダー、音声レコーダー、動画プレーヤー、音楽プレーヤー、ゲーム機、電子ブックリーダーなどに適用可能である。
【００６２】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６３】
４…システム制御部、５…信号処理部、８…表示部、１０…操作部
【図１】
0006452519.tif 000002
【図２】
0006452519.tif 000003
【図３】
0006452519.tif 000004
【図４】
0006452519.tif 000005
【図５】
0006452519.tif 000006